(57)【要約】      （修正有）【課題】簡単な構成でフレームにレンズを装着しやすくして、レンズが外れにくいフード付き眼鏡を提供する。【解決手段】レンズ１１を保持するフレーム部１２からその外側の台座部４０に亘って切欠き筒状のフード本体部３０を形成し台座部４０後部のテンプル２０にもフード本体部に連接するフード端末部３５が延設してなるフード付き眼鏡１０であって、フード本体部と一体形成された台座部をレンズ取付のために上下方向に拡開可能なように台座上半部４３と台座下半部４４とを離隔可能に形成し、かつ台座上半部と台座下半部とは前側固定部５１と後側固定部５２の２つの固定部においてそれぞれ取付ねじ６１及び６２によって緊締及び弛緩可能に構成し、後側固定部の取付ねじをテンプルの台座部に対する軸着部２３の軸受け部２４に貫通してテンプル折り畳みのための軸部として構成する。【選択図】図４
0003186422.tif 000002
【実用新案登録請求の範囲】
【請求項１】
レンズを保持するフレーム部からその外側の台座部に亘って切欠き筒状のフード本体部が形成され前記台座部後部のテンプルにも前記フード本体部に連接するフード端末部が延設されてなるフード付き眼鏡であって、
前記フード本体部と一体形成された前記台座部はレンズ取付のために上下方向に拡開可能なように台座上半部と台座下半部とが離隔可能に形成され、かつ前記台座上半部と台座下半部とは前側固定部と後側固定部の２つの固定部においてそれぞれ前側取付ねじ及び後側取付ねじによって緊締及び弛緩可能に構成されているとともに、
前記後側固定部の前記後側取付ねじは、前記テンプルの前記台座部に対する軸着部の軸受け部に貫通されていて前記テンプル折り畳みのための軸部として構成されている
ことを特徴とするフード付き眼鏡。
【請求項２】
前記フード端末部が後ろに向かって細くなる略三角形状に延設されている請求項１に記載のフード付き眼鏡。
【請求項３】
前記フード本体部及びフード端末部は前記フレーム部及び台座部ならびにテンプルと同一の樹脂材料によって一体に形成されている請求項１又は２に記載のフード付き眼鏡。
【請求項４】
前記フード本体部の上側部分または鼻当て部が当該フード本体部を構成する樹脂材料よりも柔軟な樹脂材料からなる柔軟部によって形成されている請求項１ないし３のいずれか１項に記載のフード付き眼鏡。
【考案の詳細な説明】
【技術分野】
【０００１】
本考案はフード付き眼鏡に関し、特に眼鏡のフレームとフードを一体に備えたフード付き眼鏡に関する。
【背景技術】
【０００２】
レンズを保持するフレーム部（あるいはリムとも称する。）にフード部を備えたフード付き眼鏡は、防塵、花粉症対策、スポーツ時の目の保護等の用途で広く活用されている。また、眼科手術後の保護用品としても利用されている（特許文献１等参照）。一般にフード付き眼鏡は、フレーム部とフード部を同一の樹脂材料として全体が一体に成形される。フレーム部はレンズを保持する都合上、撓み変形を生じにくくするため、硬質の樹脂材料から形成され、そのまま同じ樹脂材料によりフード部も形成される。
【０００３】
フード付き眼鏡やレンズの全周を囲う形状のフレーム部を有する眼鏡では、一般にレンズはフレーム部に押し付けられ、フレーム部に形成された凹部にレンズが嵌め込まれ固定される。特に硬質の樹脂材料によりフレーム部とフード部が一体に形成されたフード付き眼鏡においては、フレーム部及びフード部の強度が高いため、レンズの嵌着は必ずしも容易ではない。
【０００４】
レンズをフレーム部に押し込んで嵌着する構成から、レンズの外周部分と嵌着するフレーム部に構成された凹溝部の溝が浅くなる傾向がある。そのため、眼鏡を落とした時の衝撃等でレンズがフレーム部から外れてしまうことがあった。
【０００５】
そこで、眼鏡のフレーム部を構成する材料や、レンズの装着上の問題に対応し、さらに、加工の簡便さ等を向上させた新たなフード付き眼鏡を提案する。
【先行技術文献】
【特許文献】
【０００６】
【特許文献１】実用新案登録第３０９２７２４号公報
【考案の概要】
【考案が解決しようとする課題】
【０００７】
本考案は、前記の点に鑑みなされたものであり、フード付き眼鏡において、簡単な構成としつつフレームにレンズを装着しやすくし、また、レンズがフレームから外れにくい新たなフード付き眼鏡を提供する。
【課題を解決するための手段】
【０００８】
すなわち、請求項１の考案は、レンズを保持するフレーム部からその外側の台座部に亘って切欠き筒状のフード本体部が形成され前記台座部後部のテンプルにも前記フード本体部に連接するフード端末部が延設されてなるフード付き眼鏡であって、前記フード本体部と一体形成された前記台座部はレンズ取付のために上下方向に拡開可能なように台座上半部と台座下半部とが離隔可能に形成され、かつ前記台座上半部と台座下半部とは前側固定部と後側固定部の２つの固定部においてそれぞれ前側取付ねじ及び後側取付ねじによって緊締及び弛緩可能に構成されているとともに、前記後側固定部の前記後側取付ねじは、前記テンプルの前記台座部に対する軸着部の軸受け部に貫通されていて前記テンプル折り畳みのための軸部として構成されていることを特徴とするフード付き眼鏡に係る。
【０００９】
請求項２の考案は、前記フード端末部が後ろに向かって細くなる略三角形状に延設されている請求項１に記載のフード付き眼鏡に係る。
【００１０】
請求項３の考案は、前記フード本体部及びフード端末部は前記フレーム部及び台座部ならびにテンプルと同一の樹脂材料によって一体に形成されている請求項１又は２に記載のフード付き眼鏡に係る。
【００１１】
請求項４の考案は、前記フード本体部の上側部分または鼻当て部が当該フード本体部を構成する樹脂材料よりも柔軟な樹脂材料からなる柔軟部によって形成されている請求項１ないし３のいずれか１項に記載のフード付き眼鏡に係る。
【考案の効果】
【００１２】
請求項１の考案に係るフード付き眼鏡によると、レンズを保持するフレーム部からその外側の台座部に亘って切欠き筒状のフード本体部が形成され前記台座部後部のテンプルにも前記フード本体部に連接するフード端末部が延設されてなるフード付き眼鏡であって、前記フード本体部と一体形成された前記台座部はレンズ取付のために上下方向に拡開可能なように台座上半部と台座下半部とが離隔可能に形成され、かつ前記台座上半部と台座下半部とは前側固定部と後側固定部の２つの固定部においてそれぞれ前側取付ねじ及び後側取付ねじによって緊締及び弛緩可能に構成されているとともに、前記後側固定部の前記後側取付ねじは、前記テンプルの前記台座部に対する軸着部の軸受け部に貫通されていて前記テンプル折り畳みのための軸部として構成されている。このため、簡単な構成としつつフレームにレンズを装着しやすくし、レンズを外れにくくすることができる。
【００１３】
請求項２の考案に係るフード付き眼鏡によると、請求項１の考案において、前記フード端末部が後ろに向かって細くなる略三角形状に延設されているため、フード本体部との連続性を有し、意匠性が高くなる。
【００１４】
請求項３の考案に係るフード付き眼鏡によると、請求項１又は２の考案において、前記フード本体部及びフード端末部は前記フレーム部及び台座部ならびにテンプルと同一の樹脂材料によって一体に形成されているため、各部材同士の統一感が生じる。
【００１５】
請求項４の考案に係るフード付き眼鏡によると、請求項１ないし３のいずれかの考案において、前記フード本体部の上側部分または鼻当て部が当該フード本体部を構成する樹脂材料よりも柔軟な樹脂材料からなる柔軟部によって形成されているため、フード付き眼鏡を着用した時に鼻に跡がつきにくくなる。
【図面の簡単な説明】
【００１６】
【図１】本考案のフード付き眼鏡の全体斜視図である。
【図２】フレーム部の正面図である。
【図３】レンズ取付時のフード付き眼鏡の背面側の要部拡大斜視図である。
【図４】テンプル取付時のフード付き眼鏡の背面側の要部拡大斜視図である。
【図５】フード付き眼鏡の背面側の要部拡大斜視図である。
【図６】フード付き眼鏡の着用時の左側からの部分概要図である。
【図７】フード付き眼鏡の着用時の上側からの部分概要図である。
【図８】フード部を含むフレーム部の縦端面図である。
【図９】他の実施例のフード付き眼鏡の背面側の要部拡大斜視図である。
【考案を実施するための形態】
【００１７】
本考案のフード付き眼鏡１０の構造について、図１の全体斜視図及び図２の正面図を用い順に説明する。フレーム部１２は右フレーム部１３と左フレーム１４から形成され、ブリッジ１９により左右のフレーム部１３，１４同士は接続される。レンズ１１のうち、右レンズ１１Ｒは右フレーム部１３に保持され、左レンズ１１Ｌは左フレーム部１４に保持される。
【００１８】
フレーム部１２は、公知の眼鏡フレームとして使用可能な樹脂材料であればいずれも使用可能である。例えば、グリルアミド等のポリアミド系樹脂、ポリカーボネート樹脂、アクリル樹脂等が例示される。
【００１９】
フレーム部１２の左右には、台座部４０（智又はヨロイとも称される。）が設けられる。右フレーム部１３には右側台座部４１が設けられ、左フレーム１４部には左側台座部４２が設けられる。台座部４０は台座上半部４３と台座下半部４４から構成される。図示の例では、フレーム部１２（１３，１４）は樹脂製であることから、台座部２５（２６，２７）もフレーム部１２と一体に成形される。このため、フード付き眼鏡１０を構成する部品は少なくなり、容易に製造することができる。
【００２０】
フレーム部１２を被着用者の顔面側に保持するテンプル２０はヒンジ部２８を介して台座部４０後部に接続される。テンプル２０は右テンプル２１と左テンプル２２からなる。図示の眼鏡では、ヒンジ部２８による接続のため、テンプル２０（２１，２２）の折り畳みは可能である。
【００２１】
また、フード本体部３０は、請求項１の考案に規定するように、フレーム部１２からその外側の台座部４０に亘って切欠き筒状に形成され、フード本体部３０の内側７１，７２には鼻当て部７３，７４が形成されている。台座部４０後部に接続されたテンプル２０には、フード本体部３０に連接するフード端末部３５が延設されている。フレーム部１２から被着用者Ｈの顔面側Ｆに向けて筒状に延設されて眼球の周辺と眼鏡との隙間を覆うことにより（図７参照）、小さなゴミや埃等の異物から眼球を保護する。フレーム部１２とフード本体部３０が一体形成されるため、フード本体部３０はフレーム部１２から外れにくく装着しやすくなり使いやすい。
【００２２】
フレーム部１２は前出の樹脂から成形されているため、フード本体部３０も同様である。使用する樹脂は透明度が高いため、被着用者の視界がフード本体部３０により遮られにくくなる。また、意匠性向上の目的からフレーム部１２のみを着色することも可能である。
【００２３】
続いて、図３ないし５を用い台座部４０についてさらに説明する。台座部４０はフード本体部３０と一体形成され、レンズ１１取付のために上下方向に拡開するべく台座上半部４３と台座下半部４４とが離隔可能に形成される。図３に示すように、フレーム部１２の樹脂弾性により台座上半部４３と台座下半部４４は上下方向に拡開できる。そこで、フレーム上半部３１とフレーム下半部３２は上下方向に広げられる。台座上半部４３と台座下半部４４は離隔してフレーム部１２は広げられる。レンズ１１の外周はフレーム部１２の凹溝部１５に嵌められる。フレーム部１２を拡開可能な構成とすることによって、凹溝部１５を深く形成してレンズを嵌めることができる。このため、レンズ１１をフレーム部１２から外れにくくすることができる。なお、図中の符号５１は前側固定部、５２は後側固定部である。
【００２４】
そして、図４及び図５に示すように、台座上半部４３と台座下半部４４は固定されることによって、レンズ１１はフレーム部１２に固定される。台座上半部４３と台座下半部４４は、前側固定部５１と後側固定部５２のそれぞれに螺着される前側取付ねじ６１及び後側取付ねじ６２によって緊締される。前側固定部５１は台座部４０のフレーム部１２近傍に形成され、前側取付ねじ６１を緊締することで台座上半部４３と台座下半部４４はフレーム側１２において強く締め付けられる。このため、レンズ１１の外周１１ｓが前側固定部５１によりフレーム上半部３１とフレーム下半部３２に形成された凹溝部１５にしっかりと嵌合してレンズ１１が外れにくくなる。
【００２５】
後側固定部５２は、台座上半部４３、台座下半部４４、及びテンプル２０を軸着する。台座部４０後部にはテンプル２０の軸着部２３に対応するヒンジ部２８が形成される。後側固定部５２の後側取付ねじ６２は、軸着部２３に形成された軸受け部２４を貫通して台座上半部４３と台座下半部４４とを軸着することにより、テンプル２０折り畳みのための軸部２５として構成される。さらに、後側取付ねじ６２はテンプル２０の軸受け部２４を貫通して台座上半部４３と台座下半部４４を螺着して固定する。よって、後側取付ねじ６２は、軸部２５としての構成だけでなく、台座部４０を固定してレンズ１１をフレーム部３０から外れにくくすることができる。
【００２６】
図６及び図７に示すようにフード本体部３０の先端部３９は、被着用者Ｈの眼窩（ここでは、眼球Ｅを取り巻く頭蓋骨の窪み及びその周辺部分を指す。）に対して環状に接する曲面形状８０に形成される。被着用者Ｈの顔面Ｆの凹凸に対応する形状とするため、フード本体部３０は眼球Ｅ周りの眼窩近傍に対応したフードの形状に形成される。また、図示から把握されるように被着用者Ｈの眉の下にフレーム上半部３１が位置し、眼球下の眼窩にフレーム下半部３２が位置する。したがって眼窩の左右方向のみならず、上下方向も十分に保護される。
【００２７】
また、図７に示す側面図のように、フード本体部３０及びフード端末部３５が被着用者Ｈの顔面Ｆに対応した局面形状８０で環状に眼窩周辺を覆うため、顔面の目尻側まで覆うことができ、異物等がフード内に入りにくくなる。また、フード本体部３０の先端部３９は、被着用者Ｈの顔面Ｆに接するため、図８の端面図に示すように、面取り状に形成される。これにより、被着用者はフレーム上半部３１の先端部３９が肌に当接した時にも痛みを感じにくい。
【００２８】
さらに、前出の図６に示すように、テンプル２０に形成されたフード端末部３５が後ろ（耳方向）に向かって細くなる略三角形状に延設される形状とすることにより、テンプル２０の目元側のフードが幅広に形成されるため目尻ゴミ等の異物が目に入りにくくなる。また、フード本体部３０から連接したフード端末部３５との連続性が向上し意匠性が高くなる。フード本体部３０及びフード端末部３５を、フレーム部１２及び台座部４０ならびにテンプル２０と同一の樹脂材料により一体に形成することにより、各部位ごとの連続性がさらに向上してフード付き眼鏡全体の意匠性がより高くなる。
【００２９】
図１及び図９に示すように、フード本体部３０のブリッジ１９側である内側部分７０は鼻当て部７３，７４として一体に形成される。鼻当て部７３，７４は、フード本体部３０と一体であることから、内側部分７０のフード幅が局部的に幅広に形成される。このため、構造が単純となるため、製造が容易となり構造強度も高まる。
【００３０】
さらに、他の実施例のフード付き眼鏡１０Ａでは、図１０に示すように、鼻当て部７３，７４はフード本体部３０を構成する樹脂材料よりも柔軟な樹脂材料を使用することができる。例えば、シリコーン樹脂、各種のエラストマー、合成ゴム等が挙げられる。当該樹脂材料により、鼻当て部となる当接部７５が形成される。そこで、鼻に係る負担を軽減することができ、跡が付きにくくなり痛みを感じにくくなる。このため、フード付き眼鏡１０Ａは被着用者の負担が小さくなり、ストレスなく着用することができる。
【００３１】
以上述べたように、本考案のフード付き眼鏡１０は、台座部４０は台座部上半部４３と台座部下半部４４とから形成されて上下方向に拡開可能であるため、レンズ１１の取付が容易となった。そして、フレーム部１２に形成される凹溝部１５を深く形成することができるため、レンズ１１が脱落しにくくなった。また、テンプル２０に略三角形状のフード端末部３５を延設することで、フード本体部３０との連続性を有するため意匠性が増した。
【符号の説明】
【００３２】
１０，１０Ａ    フード付き眼鏡
１１，１１Ｒ，１１Ｌ    レンズ
１２，１３，１４    フレーム部
１５    凹溝部
１９    ブリッジ
２０，２１，２２    テンプル
２３    軸着部
２４    軸受け部
２５    軸部
２８    ヒンジ部
３０    フード本体部
３１    フレーム上半部
３２    フレーム下半部
３５    フード端末部
３９    先端部
４０，４１，４２    台座部
４３    台座上半部
４４    台座下半部
５１    前側固定部
５２    後側固定部
６１    前側取付ねじ
６２    後側取付ねじ
７０    内側部分
７３，７４    鼻当て部
７５    当接部
８０    局面形状
Ｅ    眼球
Ｆ    顔面
Ｈ    被着用者
【図１】
0003186422.tif 000003
【図２】
0003186422.tif 000004
【図３】
0003186422.tif 000005
【図４】
0003186422.tif 000006
【図５】
0003186422.tif 000007
【図６】
0003186422.tif 000008
【図７】
0003186422.tif 000009
【図８】
0003186422.tif 000010
【図９】
0003186422.tif 000011